(57)【要約】【課題】確実に復調処理を行うことができるようにする。【解決手段】システム情報復号部３２は、システム情報等化部３１により等化処理が施された信号から、システム情報のシンボル群を順次復号し、送信パラメータ取得部５２は、送信パラメータ記憶部５１に記憶された復調処理に用いられている送信パラメータを取得し、送信パラメータ比較部５３は、取得された復調処理に用いられている送信パラメータと、システム情報復号部３２により順次復号される送信パラメータとを比較し、復調制御部３３は、それらの送信パラメータが相違する場合、新たに復号された送信パラメータに基づいた復調処理が行われるように、復調部３５や誤り訂正部３６などを制御する。本発明は、例えば、地上デジタル放送の規格であるDTMB規格に対応した受信装置に適用できる。【選択図】図３
2012095109.tif 000002
【特許請求の範囲】
【請求項１】
所定の規格で規定されている所定の方式で変調された信号を受信する受信手段と、
受信信号に含まれる送信パラメータを復号する復号手段と、
順次復号される送信パラメータのうち、前記受信信号の復調処理に用いられている送信パラメータを取得する取得手段と、
取得された前記受信信号の復調処理に用いられている送信パラメータと、順次復号される送信パラメータとが相違する場合、新たに復号された送信パラメータに基づいた前記受信信号の復調処理を制御する制御手段と
を備える受信装置。
【請求項２】
前記制御手段は、前記送信パラメータに相違がある場合、前記受信信号の復調処理に関連する処理を実行する各部を初期化してから、前記各部に対して、新たに探索された復号後の送信パラメータに基づいた復調処理を再度実行させる
請求項１に記載の受信装置。
【請求項３】
前記制御手段は、取得された前記受信信号の復調処理に用いられている送信パラメータと、順次復号される送信パラメータとの相違している時間が、所定の設定時間を超える場合、前記受信信号の復調処理を行う各部の初期化を開始する
請求項２に記載の受信装置。
【請求項４】
前記制御手段は、前記送信パラメータに相違がある場合、前記受信信号の復調処理に用いられている送信パラメータを、その送信パラメータと相違している新たに復号された送信パラメータに変更する
請求項１に記載の受信装置。
【請求項５】
前記制御手段は、取得された前記受信信号の復調処理に用いられている送信パラメータと、順次復号される送信パラメータとの相違している時間が、所定の設定時間を超える場合、前記送信パラメータを変更する
請求項４に記載の受信装置。
【請求項６】
前記送信パラメータは、FEC（Forward Error Correction）レート、インターリーブ長、又はコンスタレーションに関する情報である
請求項１に記載の受信装置。
【請求項７】
受信装置が、
所定の規格で規定されている所定の方式で変調された信号を受信し、
受信信号に含まれる送信パラメータを復号し、
順次復号される送信パラメータのうち、前記受信信号の復調処理に用いられている送信パラメータを取得し、
取得された前記受信信号の復調処理に用いられている送信パラメータと、順次復号される送信パラメータとが相違する場合、新たに復号された送信パラメータに基づいた前記受信信号の復調処理を制御する
ステップを含む受信方法。
【請求項８】
所定の規格で規定されている所定の方式で変調された信号を受信する受信手段と、
受信信号に含まれる送信パラメータを復号する復号手段と、
順次復号される送信パラメータのうち、前記受信信号の復調処理に用いられている送信パラメータを取得する取得手段と、
取得された前記受信信号の復調処理に用いられている送信パラメータと、順次復号される送信パラメータとが相違する場合、新たに復号された送信パラメータに基づいた前記受信信号の復調処理を制御する制御手段と
して、コンピュータを機能させるためのプログラム。
【請求項９】
所定の規格で規定されている所定の方式で変調された受信信号に含まれる送信パラメータを復号する復号手段と、
順次復号される送信パラメータのうち、前記受信信号の復調処理に用いられている送信パラメータを取得する取得手段と、
取得された前記受信信号の復調処理に用いられている送信パラメータと、順次復号される送信パラメータとが相違する場合、新たに復号された送信パラメータに基づいた前記受信信号の復調処理を制御する制御手段と
を備える復調装置。
【請求項１０】
前記制御手段は、前記送信パラメータに相違がある場合、前記受信信号の復調処理に関連する処理を実行する各部を初期化してから、前記各部に対して、新たに探索された復号後の送信パラメータに基づいた復調処理を再度実行させる
請求項９に記載の復調装置。
【請求項１１】
前記制御手段は、取得された前記受信信号の復調処理に用いられている送信パラメータと、順次復号される送信パラメータとの相違している時間が、所定の設定時間を超える場合、前記受信信号の復調処理を行う各部の初期化を開始する
請求項１０に記載の復調装置。
【請求項１２】
前記制御手段は、前記送信パラメータに相違がある場合、前記受信信号の復調処理に用いられている送信パラメータを、その送信パラメータと相違している新たに復号された送信パラメータに変更する
請求項９に記載の復調装置。
【請求項１３】
前記制御手段は、取得された前記受信信号の復調処理に用いられている送信パラメータと、順次復号される送信パラメータとの相違している時間が、所定の設定時間を超える場合、前記送信パラメータを変更する
請求項１２に記載の復調装置。
【請求項１４】
前記送信パラメータは、FEC（Forward Error Correction）レート、インターリーブ長、又はコンスタレーションに関する情報である
請求項９に記載の復調装置。
【請求項１５】
復調装置が、
所定の規格で規定されている所定の方式で変調された受信信号に含まれる送信パラメータを復号し、
順次復号される送信パラメータのうち、前記受信信号の復調処理に用いられている送信パラメータを取得し、
取得された前記受信信号の復調処理に用いられている送信パラメータと、順次復号される送信パラメータとが相違する場合、新たに復号された送信パラメータに基づいた前記受信信号の復調処理を制御する
ステップを含む復調方法。
【請求項１６】
所定の規格で規定されている所定の方式で変調された受信信号に含まれる送信パラメータを復号する復号手段と、
順次復号される送信パラメータのうち、前記受信信号の復調処理に用いられている送信パラメータを取得する取得手段と、
取得された前記受信信号の復調処理に用いられている送信パラメータと、順次復号される送信パラメータとが相違する場合、新たに復号された送信パラメータに基づいた前記受信信号の復調処理を制御する制御手段と
して、コンピュータを機能させるためのプログラム。
【発明の詳細な説明】
【技術分野】
【０００１】
本発明は、受信装置及び方法、復調装置及び方法、並びにプログラムに関し、特に、確実に復調処理を行うことができるようにした受信装置及び方法、復調装置及び方法、並びにプログラムに関する。
【背景技術】
【０００２】
従来より、デジタル放送の受信装置においては、最初に使用する際に、受信可能なチャネルを探索して記憶しておき、このチャネル探索の結果を基に選局を行っている（例えば、特許文献１，２参照）。
【０００３】
チャネル探索においては、各変調周波数における放送の有無を判定し、当該周波数に放送が存在すると判定された場合には、そのチャネルの送信パラメータを復号する。そして、復号された送信パラメータは、変調周波数と対応付けられてメモリに記憶される。これを、探索対象となる全変調周波数について行うことで、初回のチャネル探索を完了する。初回のチャネル探索が完了した後、通常のチャネル変更時には、メモリに記憶された送信パラメータを参照して、デジタル放送の復調が行われることになる。
【０００４】
また、地上デジタル放送方式としては、例えば、DTMB（Digital Terrestrial Multimedia Broadcast）等の規格がある。
【０００５】
図１は、DTMB規格のフレームのフォーマットを示す図である。
【０００６】
DTMB規格のフレームは、ヘッダ部（Header）とボディ部（Body）から構成される。このヘッダ部には、PN（Pseudo Noise）のシンボル列が挿入される。また、ボディ部には、システム情報のシンボル（図１のSI（System Information））と、データのシンボル（図１のData）とがその順で含まれる。この先頭36シンボルのシステム情報には、送信パラメータを一定の規則でエンコードして得られるシンボル列が挿入される。
【０００７】
DTMBの規格では、送信パラメータとして、例えば、FEC（Forward Error Correction）レート（例えば、0.4，0.6，0.8）、インターリーブ長（例えば、240，720）、又はコンスタレーション（例えば、4QAM，4QAM-NR，16QAM，32QAM，64QAM）などが規定されている。
【先行技術文献】
【特許文献】
【０００８】
【特許文献１】特開２００２−１０１３５２号公報
【特許文献２】特開２００４−２２２０５０号公報
【発明の概要】
【発明が解決しようとする課題】
【０００９】
ところで、地上デジタル放送方式においては、送信中の信号に含まれる送信パラメータが変更される可能性のある規格がある。しかしながら、従来の技術であると、送信中の信号に含まれる送信パラメータが変化する場合については考慮されておらず、送信パラメータが変化したときには、復調処理に失敗してしまう。
【００１０】
復調処理に失敗した場合、該当するチャネルの視聴を継続することができないため、視聴者は、再度、チャネル探索を行う必要が生じ、視聴者に負担を与えることになる。
【００１１】
本発明はこのような状況に鑑みてなされたものであり、確実に復調処理を行って、視聴者の負担を軽減することができるようにするものである。
【課題を解決するための手段】
【００１２】
本発明の第１の側面の受信装置は、所定の規格で規定されている所定の方式で変調された信号を受信する受信手段と、受信信号に含まれる送信パラメータを復号する復号手段と、順次復号される送信パラメータのうち、前記受信信号の復調処理に用いられている送信パラメータを取得する取得手段と、取得された前記受信信号の復調処理に用いられている送信パラメータと、順次復号される送信パラメータとが相違する場合、新たに復号された送信パラメータに基づいた前記受信信号の復調処理を制御する制御手段とを備える。
【００１３】
前記制御手段は、前記送信パラメータに相違がある場合、前記受信信号の復調処理に関連する処理を実行する各部を初期化してから、前記各部に対して、新たに探索された復号後の送信パラメータに基づいた復調処理を再度実行させる。
【００１４】
前記制御手段は、取得された前記受信信号の復調処理に用いられている送信パラメータと、順次復号される送信パラメータとの相違している時間が、所定の設定時間を超える場合、前記受信信号の復調処理を行う各部の初期化を開始する。
【００１５】
前記制御手段は、前記送信パラメータに相違がある場合、前記受信信号の復調処理に用いられている送信パラメータを、その送信パラメータと相違している新たに復号された送信パラメータに変更する。
【００１６】
前記制御手段は、取得された前記受信信号の復調処理に用いられている送信パラメータと、順次復号される送信パラメータとの相違している時間が、所定の設定時間を超える場合、前記送信パラメータを変更する。
【００１７】
前記送信パラメータは、FEC（Forward Error Correction）レート、インターリーブ長、又はコンスタレーションに関する情報である。
【００１８】
本発明の第１の側面の受信方法は、受信装置が、所定の規格で規定されている所定の方式で変調された信号を受信し、受信信号に含まれる送信パラメータを復号し、順次復号される送信パラメータのうち、前記受信信号の復調処理に用いられている送信パラメータを取得し、取得された前記受信信号の復調処理に用いられている送信パラメータと、順次復号される送信パラメータとが相違する場合、新たに復号された送信パラメータに基づいた前記受信信号の復調処理を制御するステップを含む。
【００１９】
本発明の第１の側面のプログラムは、所定の規格で規定されている所定の方式で変調された信号を受信する受信手段と、受信信号に含まれる送信パラメータを復号する復号手段と、順次復号される送信パラメータのうち、前記受信信号の復調処理に用いられている送信パラメータを取得する取得手段と、取得された前記受信信号の復調処理に用いられている送信パラメータと、順次復号される送信パラメータとが相違する場合、新たに復号された送信パラメータに基づいた前記受信信号の復調処理を制御する制御手段として、コンピュータを機能させる。
【００２０】
本発明の第１の側面の受信装置及び方法、並びにプログラムにおいては、所定の規格で規定されている所定の方式で変調された信号が受信され、受信信号に含まれる送信パラメータが復号され、順次復号される送信パラメータのうち、受信信号の復調処理に用いられている送信パラメータが取得され、取得された受信信号の復調処理に用いられている送信パラメータと、順次復号される送信パラメータとが相違する場合、新たに復号された送信パラメータに基づいた受信信号の復調処理が制御される。
【００２１】
本発明の第２の側面の復調装置は、所定の規格で規定されている所定の方式で変調された受信信号に含まれる送信パラメータを復号する復号手段と、順次復号される送信パラメータのうち、前記受信信号の復調処理に用いられている送信パラメータを取得する取得手段と、取得された前記受信信号の復調処理に用いられている送信パラメータと、順次復号される送信パラメータとが相違する場合、新たに復号された送信パラメータに基づいた前記受信信号の復調処理を制御する制御手段とを備える。
【００２２】
前記制御手段は、前記送信パラメータに相違がある場合、前記受信信号の復調処理に関連する処理を実行する各部を初期化してから、前記各部に対して、新たに探索された復号後の送信パラメータに基づいた復調処理を再度実行させる。
【００２３】
前記制御手段は、取得された前記受信信号の復調処理に用いられている送信パラメータと、順次復号される送信パラメータとの相違している時間が、所定の設定時間を超える場合、前記受信信号の復調処理を行う各部の初期化を開始する。
【００２４】
前記制御手段は、前記送信パラメータに相違がある場合、前記受信信号の復調処理に用いられている送信パラメータを、その送信パラメータと相違している新たに復号された送信パラメータに変更する。
【００２５】
前記制御手段は、取得された前記受信信号の復調処理に用いられている送信パラメータと、順次復号される送信パラメータとの相違している時間が、所定の設定時間を超える場合、前記送信パラメータを変更する。
【００２６】
前記送信パラメータは、FEC（Forward Error Correction）レート、インターリーブ長、又はコンスタレーションに関する情報である。
【００２７】
本発明の第２の側面の復調方法は、所定の規格で規定されている所定の方式で変調された受信信号に含まれる送信パラメータを復号し、順次復号される送信パラメータのうち、前記受信信号の復調処理に用いられている送信パラメータを取得し、取得された前記受信信号の復調処理に用いられている送信パラメータと、順次復号される送信パラメータとが相違する場合、新たに復号された送信パラメータに基づいた前記受信信号の復調処理を制御するステップを含む。
【００２８】
本発明の第２の側面のプログラムは、所定の規格で規定されている所定の方式で変調された受信信号に含まれる送信パラメータを復号する復号手段と、順次復号される送信パラメータのうち、前記受信信号の復調処理に用いられている送信パラメータを取得する取得手段と、取得された前記受信信号の復調処理に用いられている送信パラメータと、順次復号される送信パラメータとが相違する場合、新たに復号された送信パラメータに基づいた前記受信信号の復調処理を制御する制御手段として、コンピュータを機能させる。
【００２９】
本発明の第２の側面の復調装置及び方法、並びにプログラムにおいては、所定の規格で規定されている所定の方式で変調された受信信号に含まれる送信パラメータが復号され、順次復号される送信パラメータのうち、受信信号の復調処理に用いられている送信パラメータが取得され、取得された受信信号の復調処理に用いられている送信パラメータと、順次復号される送信パラメータとが相違する場合、新たに復号された送信パラメータに基づいた受信信号の復調処理が制御される。
【発明の効果】
【００３０】
本発明によれば、視聴者の負担を軽減することができる。
【図面の簡単な説明】
【００３１】
【図１】DTMB規格のフレームのフォーマットを示す図である。
【図２】本発明を適用した受信装置の一実施の形態の構成を示す図である。
【図３】復調部の構成（第１の構成）を示す図である。
【図４】図３の復調部による第１の復調処理を示すフローチャートである。
【図５】復調部の構成（第２の構成）を示す図である。
【図６】図５の復調部による第２の復調処理を示すフローチャートである。
【図７】コンピュータのハードウェアの構成例を示す図である。
【発明を実施するための形態】
【００３２】
以下、本発明を実施するための形態（以下、実施の形態という）について説明する。なお、説明は以下の順序で行う。
１．第１の実施の形態
２．第２の実施の形態
３．変形例
【００３３】
＜１．第１の実施の形態＞
［受信装置の構成］
図２は、本発明を適用した受信装置の一実施の形態の構成を示す図である。
【００３４】
受信装置１は、例えば、地上デジタル放送の規格であるDTMB規格に対応した受信装置である。受信装置１は、アンテナ１１、チューナ１２、復調部１３、デコーダ１４、及び出力部１５から構成される。また、受信装置１には、受信装置１の各部の動作を制御するコントローラ１０が含まれる。
【００３５】
アンテナ１１は、放送局などの送信装置２から、伝搬路を介して伝送されてくるRF信号を受信し、チューナ１２に供給する。
【００３６】
チューナ１２は、アンテナ１１により受信されたRF信号を周波数変換する。RF信号に対して周波数変換を施すことで得られたIF信号は、復調部１３に供給される。
【００３７】
復調部１３は、チューナ１２から供給される信号に対してA/D変換を施した後、同期処理、等化処理あるいは誤り訂正処理などの所定の復調処理を行い、その結果得られる符号化データを、デコーダ１４に供給する。
【００３８】
デコーダ１４は、復調部１３から供給される符号化データを、例えばMPEG復号し、その結果得られる画像や音声のデータを、出力部１５に供給する。
【００３９】
出力部１５は、表示装置やスピーカなどで構成される。表示装置は、デコーダ１４から供給される画像データに対応して画像を表示し、スピーカは、音声データに対応して音声を出力する。
【００４０】
以上のようにして、受信装置１は構成される。
【００４１】
［復調部の構成（第１の構成）］
次に、図３を参照して、図２の復調部１３の詳細な構成について説明する。
【００４２】
図３に示すように、復調部１３は、システム情報等化部３１、システム情報復号部３２、復調制御部３３、切替部３４、復調部３５、及び誤り訂正部３６から構成される。
【００４３】
チューナ１２により同期処理が施された信号は、システム情報等化部３１及び切替部３４に供給される。
【００４４】
システム情報等化部３１は、チューナ１２から供給される信号に対して、等化処理を施し、それにより得られた信号を、システム情報復号部３２に供給する。
【００４５】
システム情報復号部３２は、システム情報等化部３１から供給される信号から、システム情報のシンボル群（上述の図１のSI）を抽出して、そのシンボル群を復号する。システム情報復号部３２は、システム情報のシンボル群を順次復号することで得られる送信パラメータを、復調制御部３３に供給する。
【００４６】
この送信パラメータとして、DTMBの規格では、例えば、FEC（Forward Error Correction）レート（例えば、0.4，0.6，0.8）、インターリーブ長（例えば、240，720）、コンスタレーション（例えば、4QAM，4QAM-NR，16QAM，32QAM，64QAM）などが得られるのは、先に述べたとおりである。
【００４７】
復調制御部３３は、送信パラメータ記憶部５１、送信パラメータ取得部５２、及び送信パラメータ比較部５３から構成される。
【００４８】
システム情報復号部３２から供給される送信パラメータは、送信パラメータ記憶部５１及び送信パラメータ取得部５２に供給される。
【００４９】
送信パラメータ記憶部５１は、システム情報復号部３２により順次復号される送信パラメータのうち、受信信号の復調処理に用いるものとして確定された送信パラメータを記憶する。また、送信パラメータ記憶部５１は、復調処理に用いられるものとして確定された送信パラメータを、復調部３５及び誤り訂正部３６に供給する。
【００５０】
切替部３４は、チューナ１２から供給された信号の出力先を、復調制御部３３による制御にしたがって切り替える。なお、DTMB規格では、データの変調方式として、シングルキャリアを使った変調方式とマルチキャリアを使った変調方式のうちのいずれかを選択することができるようになされている。そのため、DTMB規格に対応した復調部３５には、シングルキャリアを使った変調方式で伝送されてきた信号を復調するためのシングルキャリア復調部３５−１と、マルチキャリアを使った変調方式で伝送されてきた信号を復調するためのマルチキャリア復調部３５−２が設けられている。
【００５１】
すなわち、切替部３４は、シングルキャリア復調を実行する場合、スイッチ３４Ａを端子３４Ｂ側に接続し、チューナ１２からの信号を、シングルキャリア復調部３５−１に出力する。また、切替部３４は、マルチキャリア復調を実行する場合、スイッチ３４Ａを端子３４Ｃ側に接続し、チューナ１２からの信号を、マルチキャリア復調部３５−２に出力する。
【００５２】
シングルキャリア復調部３５−１は、切替部３４から供給された信号に対して、シングルキャリア方式に基づいたシングルキャリア復調を行い、それにより得られたデータを、シングルキャリア誤り訂正部３６−１に出力する。
【００５３】
マルチキャリア復調部３５−２は、切替部３４から供給された信号に対して、マルチキャリア方式に基づいたマルチキャリア復調を行い、それにより得られたデータを、マルチキャリア誤り訂正部３６−２に出力する。
【００５４】
なお、これらの復調部３５により実行される復調処理としては、等化処理の他、例えば、送信パラメータ記憶部５１から供給される送信パラメータのうち、コンスタレーションに関する情報を用いたスライス処理や、インターリーブ長に関する情報を用いたシンボルデインターリーブ処理などが実行される。
【００５５】
また、マルチキャリア伝送にOFDM方式が用いられている場合、マルチキャリア復調部３５−２に対しては、チューナ１２の出力を対象として、不図示の処理部において行われた直交復調によって得られたベースバンドのOFDM信号が、信号として入力される。
【００５６】
シングルキャリア誤り訂正部３６−１は、シングルキャリア復調部３５−１から供給されるデータに対して所定の誤り訂正処理を行い、それにより得られた符号化データを、デコーダ１４に供給する。
【００５７】
マルチキャリア誤り訂正部３６−２は、マルチキャリア復調部３５−２から供給されるデータに対して所定の誤り訂正処理を行い、それにより得られた符号化データを、デコーダ１４に供給する。
【００５８】
なお、これらの誤り訂正部３６により実行される復調処理としては、例えば、送信パラメータ記憶部５１から供給される送信パラメータのうち、FECレートに関する情報を用いた誤り訂正処理などが実行される。
【００５９】
また、送信装置２（図２）においては、例えば、番組としての画像や音声などのデータが、MPEG（Moving Picture Experts Group）エンコードされ、そのMPEGエンコードデータが含まれるパケットで構成される信号が送信される。また、送信装置２においては、伝搬路上で生じる誤りに対する対策として、データが、RS（Reed Solomon）符号などの符号に符号化される。したがって、誤り訂正部３６においては、誤り訂正処理として、その符号を復号する処理などが行われ、それにより得られるTS（Transport Stream）が出力される。
【００６０】
送信パラメータ取得部５２は、システム情報復号部３２から順次供給される送信パラメータと、送信パラメータ記憶部５１に記憶された送信パラメータ（復調処理に用いられている送信パラメータ）を取得し、送信パラメータ比較部５３に供給する。
【００６１】
送信パラメータ比較部５３には、送信パラメータ取得部５２から、システム情報復号部３２により順次復号される送信パラメータと、送信パラメータ記憶部５１に記憶された復調処理に用いられている送信パラメータが供給される。送信パラメータ比較部５３は、復調処理に用いられている送信パラメータと、順次復号される送信パラメータとを比較する。
【００６２】
復調制御部３３は、送信パラメータ比較部５３による比較結果に基づいて、復調処理に用いられている送信パラメータと、順次復号される送信パラメータとが相違する場合、システム情報復号部３２により新たに復号された送信パラメータに基づいた復調処理を制御する。
【００６３】
すなわち、復調制御部３３は、復調処理に用いられている送信パラメータと、順次復号される送信パラメータとが相違する場合、チューナ１２、復調部３５、及び誤り訂正部３６に、リセット命令を出力して、それらの復調処理に関連する処理を実行する各部を初期化する。そして、復調制御部３３は、システム情報復号部３２により復号された送信パラメータから新たに探索された送信パラメータを、送信パラメータ記憶部５１に記憶する。これにより、新たに探索された送信パラメータが、復調部３５及び誤り訂正部３６に供給され、復調部３５及び誤り訂正部３６においては、新たに探索された復号後の送信パラメータに基づいた復調処理が再度実行される。
【００６４】
以上のようにして、図３の復調部１３は構成される。
【００６５】
［第１の復調処理］
次に、図４のフローチャートを参照して、図３の復調部１３により実行される第１の復調処理について説明する。
【００６６】
ステップＳ１１において、システム情報復号部３２は、システム情報等化部３１により等化処理が施された信号から、システム情報のシンボル群を抽出して、そのシンボル群を復号する。
【００６７】
ステップＳ１２において、復調制御部３３は、システム情報復号部３２により復号された送信パラメータであって、復調処理に用いるものとして確定された送信パラメータが、送信パラメータ記憶部５１に記憶されたか否かを判定する。
【００６８】
ステップＳ１２において、送信パラメータが、送信パラメータ記憶部５１に記憶されていないと判定された場合、ステップＳ１１に戻り、送信パラメータが記憶されるまで（ステップＳ１２の「Yes」）、上述したステップＳ１１乃至Ｓ１２が繰り返される。
【００６９】
そして、システム情報復号部３２により順次復号が行われることで、復調処理に用いる送信パラメータが確定し、送信パラメータ記憶部５１に記憶されたと判定された場合（ステップＳ１２の「Yes」）、処理は、ステップＳ１３に進む。
【００７０】
送信パラメータ記憶部５１に送信パラメータが記憶されると、その送信パラメータは、復調部３５及び誤り訂正部３６に供給される。そして、復調部３５及び誤り訂正部３６においては、送信パラメータ記憶部５１に記憶されている送信パラメータと同一の送信パラメータに基づいた復調処理が実行される（ステップＳ１３）。
【００７１】
ステップＳ１４において、送信パラメータ取得部５２は、システム情報復号部３２により順次復号される送信パラメータと、送信パラメータ記憶部５１に記憶されている復調処理に用いられている送信パラメータを取得する。
【００７２】
ステップＳ１５において、送信パラメータ比較部５３は、送信パラメータ記憶部５１に記憶されている復調処理に用いられている送信パラメータと、システム情報復号部３２により新たに復号された送信パラメータとを比較する。
【００７３】
ステップＳ１６において、復調制御部３３は、送信パラメータ比較部５３による比較結果に基づいて、復調処理に用いられている送信パラメータと、新たに復号された送信パラメータとが相違するか否かを判定する。
【００７４】
ステップＳ１６において、送信パラメータの比較結果が相違していると判定された場合、処理は、ステップＳ１７に進む。ステップＳ１７において、復調制御部３３は、送信パラメータの比較結果が相違している時間が、あらかじめ定められた所定の設定時間を超えるか否かを判定する。この設定時間としては、例えば、時間を長く設定すれば送信パラメータの比較結果の相違を確実に検出することができる一方、その分だけ判定処理に時間がかかることになるので、両者のバランスを考慮した時間が適宜定められる。
【００７５】
送信パラメータの比較結果が相違していない場合（ステップＳ１６の「No」）、又は送信パラメータの比較結果が相違している時間が、所定の設定時間以下となる場合（ステップＳ１７の「No」）、処理は、ステップＳ１４に戻り、上述したステップＳ１４乃至Ｓ１７が繰り返される。すなわち、この場合、復調部３５及び誤り訂正部３６において、復調処理が実行されている間、復調制御部３３においては、その復調処理で用いられている送信パラメータと、順次復号される送信パラメータとが相違するか否かが判定され続ける。
【００７６】
一方、ステップＳ１７において、送信パラメータの比較結果が相違している時間が、所定の設定時間を超えると判定された場合、処理は、ステップＳ１８に進む。ステップＳ１８において、復調制御部３３は、チューナ１２、復調部３５、及び誤り訂正部３６に、リセット命令を出力して、それらの復調処理に関連する処理を実行する各部を初期化する。
【００７７】
そして、処理は、ステップＳ１１に戻り、上述した処理が繰り返されることで、新たに探索された復号後の送信パラメータが、送信パラメータ記憶部５１に記憶され（ステップＳ１２の「Yes」）、その送信パラメータに基づいた復調処理が実行される（ステップＳ１３）。すなわち、リセット命令に応じて初期化されたチューナ１２、復調部３５、及び誤り訂正部３６のうち、復調部３５及び誤り訂正部３６においては、新たに探索された送信パラメータに基づいた復調処理が再度実行され、やり直されることになる。
【００７８】
その後、復調制御部３３においては同様に、復調処理で用いられている新たに探索された送信パラメータと、順次復号される送信パラメータとが相違するか否かが判定される（ステップＳ１６，Ｓ１７）。そして、所定の設定時間の間、送信パラメータの比較結果が相違している場合には（ステップＳ１７の「Yes」）、復調処理に関連する処理を実行する復調部３５等が初期化されてから（ステップＳ１８）、送信パラメータが再探索され（ステップＳ１１乃至Ｓ１２）、復調処理がやり直される（ステップＳ１３）。
【００７９】
以上のように、第１の実施の形態においては、受信開始時に復号され記憶されている送信パラメータと、順次復号される送信パラメータとの比較結果が常に監視され、受信信号に含まれる送信パラメータの変化が検出される。そして、送信パラメータの変化が検出された場合には、新たに探索された送信パラメータに基づいた復調処理のやり直しが実行される。
【００８０】
これにより、第１の実施の形態においては、たとえ送信中の信号に含まれる送信パラメータが変化して、復調処理が途中で失敗しても、復調処理に関連する処理を実行する各部を初期化してから、新たに探索された送信パラメータを用いて、最初から復調処理をやり直すことができるので、確実に復調処理を行うことができる。その結果、視聴者は再度チャネル探索の操作を行う必要がなくなるため、視聴者の負担を軽減することができる。
【００８１】
＜２．第２の実施の形態＞
［復調部の構成（第２の構成）］
次に、図５を参照して、図２の復調部１３の他の構成について説明する。
【００８２】
なお、図５の復調部１３において、図３の復調部１３と同様の箇所には同一の符号が付してあり、その説明は適宜省略する。
【００８３】
図５において、復調制御部３３は、送信パラメータ比較部５３による比較結果に基づいて、復調処理に用いられている送信パラメータと、順次復号される送信パラメータとが相違する場合、システム情報復号部３２により新たに復号された送信パラメータに基づいた復調処理を制御する。
【００８４】
すなわち、復調制御部３３は、復調処理に用いられている送信パラメータと、順次復号される送信パラメータとが相違する場合、システム情報復号部３２に対して、新たに復号された送信パラメータを、送信パラメータ記憶部５１に供給するように指示する。システム情報復号部３２は、復調制御部３３からの指示に基づいて、新たに復号された送信パラメータを、送信パラメータ記憶部５１に供給する。これにより、送信パラメータ記憶部５１では、受信信号の復調処理に用いられている送信パラメータが、その送信パラメータと相違している新たに復号された送信パラメータに置き換えられ、変更される。
【００８５】
送信パラメータ記憶部５１に記憶された新たに復号された送信パラメータは、復調部３５及び誤り訂正部３６に供給される。復調部３５及び誤り訂正部３６においては、新たに復号された送信パラメータに基づいた復調処理が実行される。
【００８６】
以上のようにして、図５の復調部１３は構成される。
【００８７】
［第２の復調処理］
次に、図６のフローチャートを参照して、図５の復調部１３により実行される第２の復調処理について説明する。
【００８８】
ステップＳ３１乃至Ｓ３７において、図４のステップＳ１１乃至Ｓ１７と同様に、受信開始時に復号され記憶されている送信パラメータと、順次復号される送信パラメータとの比較結果が常に監視され、受信信号に含まれる送信パラメータが変化した場合には（ステップＳ３６，Ｓ３７の「Yes」）、処理は、ステップＳ３８に進む。
【００８９】
ステップＳ３８において、復調制御部３３は、システム情報復号部３２を制御して、送信パラメータ記憶部５１に記憶されている、復調処理に用いられている送信パラメータを、その送信パラメータと相違している新たに復号された送信パラメータに変更する。
【００９０】
そして、処理は、ステップＳ３３に戻り、復調部３５及び誤り訂正部３６によって、新たに復号された送信パラメータに基づいた復調処理が実行される。その後、復調制御部３３においては同様に、復調処理に用いられている送信パラメータと、順次復号される送信パラメータとが比較され、比較結果が相違しているか否かが判定される（ステップＳ３６，Ｓ３７）。そして、所定の設定時間の間、比較結果が相違している場合には（ステップＳ３７の「Yes」）、再度、復調処理に用いられている送信パラメータが、新たに復号された送信パラメータに変更され（ステップＳ３８）、その変更された送信パラメータに基づいた復号処理が実行される（ステップＳ３３）。
【００９１】
以上のように、第２の実施の形態においては、受信開始時に復号され記憶されている送信パラメータと、順次復号される送信パラメータとの比較結果が常に監視され、受信信号に含まれる送信パラメータの変化が検出される。そして、送信パラメータの変化が検出された場合には、復調処理に用いられている送信パラメータが、新たに復号された送信パラメータに変更され、新たに復号された送信パラメータに基づいた復調処理が実行される。
【００９２】
これにより、第２の実施の形態においては、たとえ送信中の信号に含まれる送信パラメータが変化して、復調処理が途中で失敗しても、復調処理に用いられている送信パラメータを、新たに復号された送信パラメータに変更して、正常な復調処理に復帰させることができるので、確実に復調処理を行うことができる。すなわち、第２の実施の形態においては、失敗した復調処理をやり直すことはできないが、単に、送信パラメータのみを監視して、その変化が検出された場合に、送信パラメータを置換するだけで、正常な復調処理に復帰させることができるので、復調処理を、迅速に正常な状態に復帰させることができる。
【００９３】
また、従来の受信装置であると、受信信号に含まれる送信パラメータが変化すると、等化器や誤り訂正部の処理が破綻する可能性がある。そのため、MPEGがデコードできないなどといった理由によって再同期を行う処理部を設ける必要が出てくる。一方、本実施の形態においては、フレーム内のすべての受信信号を復調することなく、送信パラメータのみを復号して監視することで、より迅速に視聴を復帰させることができる。例えば、従来に比較して、映像断からの迅速な復帰を実現することができる。
【００９４】
＜３．変形例＞
上述した実施の形態においては、受信装置として、地上デジタル放送の規格であるDTMB規格に対応したものを説明したが、DTMBに限らず、送信パラメータを用いる他の地上デジタル放送の規格に対応した受信装置に適用することもできる。
【００９５】
また、上述した実施の形態においては、復調部１３は、送信装置１を構成する一処理部であるとして説明したが、復調部１３を、１つの復調装置（復調LSI）として捉えることもできる。また、上述した実施の形態においては、復調部１３における復調処理の制御を行う復調制御部３３が、復調部１３に含まれる構成の例を説明したが、この復調制御部３３をコントローラ１０が備えるようにして、復調部１３における復調処理が、コントローラ１０により制御されるようにしてもよい。さらに、誤り訂正部３６は、復調部１３に含まれるのではなく、復調部１３の後段に、単独の一処理部として設けるようにしてもよい。また、復調部１３には、A/D変換部（不図示）が設けられるようにしてもよい。
【００９６】
さらに、上述した実施の形態においては、同期処理は、復調部１３によって行われるとして説明したが、その前段に設けられたチューナ１２によって行われるようにしてもよい。この場合、復調部１３は、同期処理が施された信号に対してA/D変換を施した後、等化処理などの所定の復調処理を行うことになる。
【００９７】
上述した第１の実施の形態においては、復調処理に関連する処理を実行する各部を初期化してから、送信パラメータを再探索する場合について説明したが、送信パラメータの相違判定で用いられた送信パラメータ（システム情報復号部３２により復号された送信パラメータ）をそのまま、再度実行される復調処理に用いられる送信パラメータとしてもよい。なお、この場合における、送信パラメータの各部への提供方法であるが、例えば、復調制御部３３が、送信パラメータ取得部５２により取得された送信パラメータを復調部３５及び誤り訂正部３６に提供したり、あるいは、送信パラメータが付加されたリセット命令を提供したりすればよい。
【００９８】
上述した第２の実施の形態においては、送信パラメータを監視して、その送信パラメータの変化を検出したとき、送信パラメータを置換する例を説明したが、その変化を検出したとき、さらに、復調処理に関連する処理を実行する復調部３５や誤り訂正部３６などを初期化するようにしてもよい。
【００９９】
［本発明を適用したコンピュータの説明］
ところで、上述した一連の処理は、ハードウェアにより実行させることもできるし、ソフトウェアにより実行させることもできる。一連の処理をソフトウェアにより実行させる場合には、そのソフトウェアを構成するプログラムが、専用のハードウェアに組み込まれているコンピュータ、又は、各種のプログラムをインストールすることで、各種の機能を実行することが可能な、例えば汎用のパーソナルコンピュータ等に、プログラム記録媒体からインストールされる。
【０１００】
図７は、上述した一連の処理をプログラムにより実行するコンピュータの構成の例を示す図である。
【０１０１】
このコンピュータ１００において、CPU（Central Processing Unit）１０１，ROM（Read Only Memory）１０２，RAM（Random Access Memory）１０３は、バス１０４により相互に接続されている。
【０１０２】
バス１０４には、さらに、入出力インタフェース１０５が接続されている。入出力インタフェース１０５には、キーボード、マウス、マイクロホンなどよりなる入力部１０６、ディスプレイ、スピーカなどよりなる出力部１０７、ハードディスクや不揮発性のメモリなどよりなる記憶部１０８、ネットワークインタフェースなどよりなる通信部１０９、磁気ディスク、光ディスク、光磁気ディスク、又は半導体メモリなどのリムーバブルメディア１１１を駆動するドライブ１１０が接続されている。
【０１０３】
以上のように構成されるコンピュータ１００では、CPU１０１が、例えば、記憶部１０８に記憶されているプログラムを、入出力インタフェース１０５及びバス１０４を介して、RAM１０３にロードして実行することにより、上述した一連の処理が行われる。
【０１０４】
なお、コンピュータが実行するプログラムを記述するステップは、記載された順序に沿って時系列的に行われる処理はもちろん、必ずしも時系列的に処理されなくとも、並列的あるいは個別に実行される処理をも含むものである。
【０１０５】
また、本発明の実施の形態は、上述した実施の形態に限定されるものではなく、本発明の要旨を逸脱しない範囲において種々の変更が可能である。
【符号の説明】
【０１０６】
１  受信装置，  １０  コントローラ，  １１  アンテナ，  １２  チューナ，  １３  復調部，  １４  デコーダ，  １５  出力部，  ３１  システム情報等化部，  ３２  システム情報復号部，  ３３  復調制御部，  ３４  切替部，  ３５  復調部，  ３５−１  シングルキャリア復調部，  ３５−２  マルチキャリア復調部，  ３５  誤り訂正部，  ３５−１  シングルキャリア誤り訂正部，  ３５−２  マルチキャリア誤り訂正部，  ５１  送信パラメータ記憶部，  ５２  送信パラメータ取得部，  ５３  送信パラメータ比較部，  １００  コンピュータ，  １０１  CPU
【図１】
2012095109.tif 000003
【図２】
2012095109.tif 000004
【図３】
2012095109.tif 000005
【図４】
2012095109.tif 000006
【図５】
2012095109.tif 000007
【図６】
2012095109.tif 000008
【図７】
2012095109.tif 000009